(57)【要約】アクセス技術境界におけるハンドオフ・トリガのための方法が、第１の技術タイプを有する第１の通信事業者と通信状態にある移動局が、境界区域に入った場合、第２の技術タイプを有する第２の通信事業者との同期を獲得するように、この移動局をトリガすることを含むことが可能であり、境界区域は、第１の技術タイプと、第２の技術タイプとを含む異なるＲＡＴ（無線アクセス技術）を有する少なくとも２つの通信事業者によってカバーされる少なくとも１つのセクタを含む。
2011502423.tif 000002
【特許請求の範囲】
【請求項１】
アクセス技術境界におけるハンドオフ・トリガのための方法であって、
第１の技術タイプＬを有する第１の通信事業者と通信状態にある移動局が、境界区域（ＢＡ）に入った場合、第２の技術タイプＨを有する第２の通信事業者との同期を獲得するように前記移動局をトリガするステップ（Ｓ１５）、（Ｓ１０５）を含み、前記境界区域（ＢＡ）は、前記第１の技術タイプＬと、前記第２の技術タイプＨとを含む異なるＲＡＴ（無線アクセス技術）を有する少なくとも２つの通信事業者によってカバーされる少なくとも１つのセクタを含む方法。
【請求項２】
前記移動局が、接続された状態にある場合、前記第１の通信事業者の現在の基地局から前記移動局までの距離が、距離しきい値を超えており、さらに前記第２の通信事業者のチャネル条件が、第１のしきい値を超えている場合、前記第１の通信事業者のアクセス網から送信されたハンドオフ要求に基づいて、前記第２の通信事業者への前記移動局のハンドオフをトリガするステップをさらに含む請求項１に記載の方法。
【請求項３】
（ａ）前記第２の通信事業者のチャネル条件が、第１のしきい値を超えており、前記移動局が、或る時間間隔内に、前記第１の通信事業者に送信された第１のメッセージ（Ｓ２５）に応答して第２のメッセージ（Ｓ３０）を受信することに失敗し、さらに或る数の前記第１のメッセージが、前記第１の通信事業者に既に送信されている場合、および
（ｂ）前記第２の通信事業者の前記チャネル条件が、第１のしきい値を超えており、前記移動局が、前記時間間隔内に、前記第１の通信事業者に送信された前記第１のメッセージ（Ｓ２５）に応答して前記第２のメッセージ（Ｓ３０）を受信し、さらに前記第２のメッセージが、前記移動局から前記第１の通信事業者の現在の基地局までの距離が距離しきい値を超えていることを示す場合（Ｓ３５）の少なくともいずれかの場合、前記第２の通信事業者への前記移動局のハンドオフをトリガするステップをさらに含む請求項１に記載の方法。
【請求項４】
前記移動局が、前記境界区域（ＢＡ）に入った後、現在の境界セクタにおける前記第１の通信事業者に関する信号対雑音比が、信号対雑音比しきい値以下である場合、前記移動局は、前記第１の通信事業者に前記第１のメッセージを送信し（Ｓ２５）、
前記移動局は、先行する第１のメッセージに応答して前記第２のメッセージに関する前記時間間隔が満了した後、前記数まで前記第１のメッセージを繰り返し送信し、さらに
前記第１の通信事業者の前記現在の基地局が、前記第１のメッセージを受信した場合、前記現在の基地局は、前記第１のメッセージの着信時間を使用して、前記移動局から前記現在の基地局までの前記距離を測定し、さらに前記距離を示す前記第２のメッセージを前記移動局に送り返す（Ｓ３０）請求項３に記載の方法。
【請求項５】
前記移動局からアクセス網にハンドオフ要求メッセージを送信するステップ（Ｓ４０）、（Ｓ４５）をさらに含み、前記アクセス網が、前記移動局から前記ハンドオフ要求メッセージを受信し、さらに前記第２の通信事業者への前記移動局の前記ハンドオフが完了した後、前記アクセス網は、セッション・アンカを前記第１の通信事業者から前記第２の通信事業者に切り換え（Ｓ５５）、さらに
前記移動局は、前記移動局が、前記セッション・アンカが前記第２の通信事業者に切り換えられたことを示す確認応答を前記アクセス網から受信した場合、ページング・メッセージに関して前記第１の通信事業者を監視することから、ページング・メッセージに関して前記第２の通信事業者を監視することに切り換える（Ｓ６０）、（Ｓ６５）、（Ｓ７０）をさらに含む請求項３に記載の方法。
【請求項６】
前記移動局が前記境界区域（ＢＡ）を出た場合、前記第２の通信事業者への前記移動局のハンドオフをトリガするステップをさらに含む請求項１に記載の方法。
【請求項７】
前記移動局は、前記第２の通信事業者との同期の後、前記第２の通信事業者のオーバヘッド・チャネルを監視することを開始し（Ｓ１０５）、さらに
前記移動局が、前記オーバヘッド・チャネル上で、前記移動局が前記境界区域（ＢＡ）を出ていくことを示すオーバヘッド・メッセージを受信した場合、前記第２の通信事業者への前記移動局の前記ハンドオフが、トリガされる（Ｓ１１５）請求項６に記載の方法。
【請求項８】
前記移動局からアクセス網にハンドオフ要求メッセージを送信するステップ（Ｓ１２０）、（Ｓ１２５）をさらに含み、前記アクセス網が、前記移動局から前記ハンドオフ要求メッセージを受信し、さらに前記第２の通信事業者への前記移動局の前記ハンドオフが完了した後、前記アクセス網は、セッション・アンカを前記第１の通信事業者から前記第２の通信事業者に切り換え（Ｓ１３５）、さらに
前記移動局は、前記移動局が、前記セッション・アンカが前記第２の通信事業者に切り換えられたことを示す確認応答を前記アクセス網から受信した場合、ページング・メッセージに関して前記第１の通信事業者を監視することから、ページング・メッセージに関して前記第２の通信事業者を監視することに切り換える（Ｓ１４０）、（Ｓ１４５）、（Ｓ１５０）をさらに含む請求項６に記載の方法。
【請求項９】
アクセス技術境界におけるハンドオフ・トリガのための方法であって、
第１の技術タイプＬを有する第１の通信事業者と通信状態にある移動局の、第２の技術タイプＨを有する第２の通信事業者へのハンドオフをトリガするステップであって、
（ａ）前記第２の通信事業者のチャネル条件が、第１のしきい値を超えており、前記移動局が、或る時間間隔内に、前記第１の通信事業者に送信された第１のメッセージ（Ｓ２５）に応答して第２のメッセージ（Ｓ３０）を受信することに失敗し、さらに或る数の前記第１のメッセージが、前記第１の通信事業者に既に送信されている場合、および
（ｂ）前記第２の通信事業者の前記チャネル条件が、第１のしきい値を超えており、前記移動局が、前記時間間隔内に、前記第１の通信事業者に送信された前記メッセージ（Ｓ２５）に応答して前記第２のメッセージ（Ｓ３０）を受信し、さらに前記第２のメッセージが、前記移動局から前記第１の通信事業者の現在の基地局までの距離が距離しきい値を超えていることを示す場合（Ｓ３５）の少なくともいずれかの場合、前記ハンドオフをトリガするステップを含み、前記移動局は、前記第２の通信事業者と同期され、境界区域（ＢＡ）に位置しており、前記境界区域（ＢＡ）は、前記第１の技術タイプＬと、前記第２の技術タイプＨとを含む異なるＲＡＴ（無線アクセス技術）を有する少なくとも２つの通信事業者によってカバーされる少なくとも１つのセクタを含む方法。
【請求項１０】
アクセス技術境界におけるハンドオフ・トリガのための方法であって、
第１の技術タイプＬを有する第１の通信事業者と通信状態にある移動局の、第２の技術タイプＨを有する第２の通信事業者へのハンドオフを、前記移動局が、境界区域（ＢＡ）を出た場合、トリガするステップを含み、前記境界区域（ＢＡ）は、前記第１の技術タイプＬと、前記第２の技術タイプＨとを含む異なるＲＡＴ（無線アクセス技術）を有する少なくとも２つの通信事業者によってカバーされる少なくとも１つのセクタを含み、前記移動局は、前記境界区域（ＢＡ）に入った際に前記第２の通信事業者と同期されている方法。
【発明の詳細な説明】
【技術分野】
【０００１】
本発明は、アクセス技術境界におけるハンドオフ・トリガのための方法に関する。
【背景技術】
【０００２】
移動局が、アイドル状態にあり、異なるＲＡＴ（無線アクセス技術）カバレッジ区域を横断する場合、ＲＡＴ間アイドル・ハンドオフが行われる。サービング通信事業者とは異なるＲＡＴタイプを有するターゲット通信事業者のチャネル条件が十分であることを確実にするため、さらにアクセス網が、最終的なＲＡＴ間アイドル・ハンドオフを決定するのに十分な情報を提供するため、アイドル・ハンドオフ事前準備が要求される。アイドル・ハンドオフ事前準備は、移動局をターゲット通信事業者と同期させること、ターゲット通信事業者のパイロット電力を測定すること／報告すること、サービング通信事業者に対して事前チェックインすること、および境界区域を出ると、事前登録することを含むことが可能である。
【０００３】
アイドル・ハンドオフ事前準備および最終的なアイドル・ハンドオフをトリガすることは、ＲＡＴ間アイドル・ハンドオフの分野において、依然として未解決の問題である。従来の単一技術システムにおいて、アイドル・ハンドオフは、通常、電力測定によってトリガされ、さらにアイドル・ハンドオフは、一般に、サブネット境界において行われる。サブネット間に鮮明な境界が存在して、移動局が、サブネット境界区域に沿って移動する場合、移動体が、境界をまたいで行き来する可能性があるため、そのサブネットの両側で不必要な、頻繁な登録につながるピンポン問題が、生じる。ピンポン問題の従来の解決法は、電力測定のヒステリシスを使用することである。しかし、電力測定のヒステリシスは、移動体環境におけるシャドウイングおよびフェージングのため、信頼できない。また、電力測定のヒステリシスは、電力効率を犠牲にして実行される。
【０００４】
別の従来の方法は、空間的ヒステリシスを使用してピンポン問題を解決する二次カラーコード法を提供する。二次カラーコード法は、サブネット境界におけるピンポン問題を解決する、より効率的な方法を提供するが、ＲＡＴ間アイドル・ハンドオフの場合に限られ、さらに二次カラーコード法は、クロス・サブネット・ページングを要求する際に複雑さをもたらす。二次カラーコード法は、移動体が境界区域を出た場合、登録し、アイドル・ハンドオフを開始するように移動体をトリガすることに限られる。
【０００５】
従来の方法は、順方向リンク信号対雑音比測定に基づいて、接続された状態でＲＡＴ間アイドル・ハンドオフまたはＲＡＴ間ハンドオフを行う。多くの事例において、別の周波数、または別の技術へのハンドオフをいつ実行すべきかを判定するための基準として、サービング・セクタのパイロットのＥｃ／ｌ０信号対雑音比を測定するための現在の機構は、移動局が、境界セクタの端を外れるように移動し、順方向リンクが干渉制限されていない場合、適切な時点、または適切な場所でトリガしない。したがって、移動局は、順方向リンクにおける干渉が、隣接セルから来る可能性があるため、逆方向リンクが切断された場所で、適度な順方向リンクＥｃ／ｌ０信号対雑音比を測定する。しかし、カバレッジ端部におけるセルに関して、端部セルに対する隣接セルの数がより少ないため、はるかに少ない干渉しか存在しない。したがって、移動局が基地局から遠く離れている場合でさえ、順方向リンク信号対雑音比は、依然として比較的良好である。したがって、このシナリオにおいて、実際の信号電力と干渉はともに、順方向リンクにおいて、より低い。このため、移動局は、移動局が適切に動作していたことが可能であることを順方向リンク信号対雑音比測定が示唆する場合でさえ、到達不可能であり、発信することができない。
【発明の概要】
【課題を解決するための手段】
【０００６】
例示的な実施形態は、技術境界におけるハンドオフ・トリガのための方法に関する。
【０００７】
例示的な実施形態によれば、アクセス技術境界におけるハンドオフ・トリガのための方法が、第１の技術タイプを有する第１の通信事業者と通信状態にある移動局が、境界区域に入った場合、第２の技術タイプを有する第２の通信事業者との同期を獲得するように、この移動局をトリガすることを含むことが可能である。境界区域は、第１の技術タイプと、第２の技術タイプとを含む異なるＲＡＴ（無線アクセス技術）を有する少なくとも２つの通信事業者によってカバーされる少なくとも１つのセクタを含むことが可能である。
【０００８】
別の例示的な実施形態によれば、アクセス技術境界におけるハンドオフ・トリガのための方法が、第１の技術タイプを有する第１の通信事業者と通信状態にある移動局の、第２の技術タイプを有する第２の通信事業者へのハンドオフ、例えば、アイドル・ハンドオフを、第２の通信事業者のチャネル状態が、第１のしきい値を超えており、移動局が、或る時間間隔内に、第１の通信事業者に送信された第１のメッセージに応答して第２のメッセージを受信することに失敗し、さらに或る数の第１のメッセージが、第１の通信事業者に既に送信されている場合、あるいは第２の通信事業者のチャネル条件が、第１のしきい値を超えており、移動局が、その時間間隔内に、第１の通信事業者に送信されたメッセージに応答して第２のメッセージを受信し、さらにその第１のメッセージが、移動局から第１の通信事業者の現在の基地局までの距離が距離しきい値を超えていることを示す場合、トリガすることを含むことが可能である。移動局は、第２の通信事業者と同期されていること、および／または境界区域内に位置していることが可能である。境界区域は、第１の技術タイプと、第２の技術タイプとを含む異なるＲＡＴ（無線アクセス技術）を有する少なくとも２つの通信事業者によってカバーされる少なくとも１つのセクタを含むことが可能である。
【０００９】
別の例示的な実施形態によれば、移動体が、接続された状態にある場合、第１の通信事業者のアクセス網が、逆方向リンク電力を測定し、さらに／または移動局と、移動局の現在のサービング基地局との間の距離を算出することができる。アクセス網は、逆方向リンク電力測定および／または距離計算に基づいて、ＲＡＴ間ハンドオフを開始することができる。
【００１０】
さらに別の例示的な実施形態によれば、アクセス技術境界におけるハンドオフ・トリガのための方法が、第１の技術タイプを有する第１の通信事業者と通信状態にある移動局の、第２の技術タイプを有する第２の通信事業者へのハンドオフ、例えば、アイドル・ハンドオフを、移動局が、境界区域を出た場合、トリガすることを含むことが可能である。境界区域は、第１の技術タイプと、第２の技術タイプとを含む異なるＲＡＴ（無線アクセス技術）を有する少なくとも２つの通信事業者によってカバーされる少なくとも１つのセクタを含むことが可能である。移動局は、境界区域に入った際に第２の通信事業者と同期されていることが可能である。
【００１１】
例示的な実施形態は、本明細書の後段で与えられる詳細な説明、および添付の図面から、より完全に理解されるようになり、単に例示として与えられ、したがって、範囲を限定するものではない図面では、同様の要素が、同様の符号によって表される。
【図面の簡単な説明】
【００１２】
【図１】例示的な実施形態が実施されることが可能な無線セルラー・システムの一部分を示す図である。
【図２】例示的な実施形態による技術境界におけるハンドオフ・トリガのための方法を示す信号フローおよびプロセスの図である。
【図３】別の例示的な実施形態による技術境界におけるハンドオフ・トリガのための方法を示す信号フローおよびプロセスの図である。
【発明を実施するための形態】
【００１３】
以下の説明では、説明の目的で、限定のためではなく、例示的な実施形態の徹底的な理解をもたらすために、特定のアーキテクチャ、特定のインタフェース、特定の技術などの具体的な詳細が、示される。しかし、例示的な実施形態は、これらの具体的な詳細を逸脱する他の例示的な実施形態においても実施されることが可能であることが、当業者には明白であろう。一部の事例において、よく知られたデバイス、回路、および方法の詳細な説明は、不必要な詳細で例示的な実施形態の説明を不明瞭にしないように、省略される。すべての原理、態様、および実施形態、ならびに原理、態様、および実施形態の具体的な例は、構造上、および機能上の均等物を包含することを意図している。さらに、そのような均等物は、現在、知られている均等物と、将来に開発される均等物をともに含むことが意図されている。
【００１４】
例示的な実施形態は、適切なコンピューティング環境において実施されるものとして本明細書で説明される。必須ではないが、例示的な実施形態は、１つまたは複数のコンピュータ・プロセッサまたはＣＰＵによって実行されている、プログラム・モジュールまたは機能プロセスなどのコンピュータ実行可能命令の一般的な文脈で説明される。一般に、プログラム・モジュールまたは機能プロセスには、特定のタスクを実行する、または特定の抽象データ型を実装するルーチン、プログラム、オブジェクト、コンポーネント、データ構造などが含まれる。本明細書で説明されるプログラム・モジュールおよび機能プロセスは、既存の通信ネットワークにおける既存のハードウェアを使用して実施されることが可能である。例えば、本明細書で説明されるプログラム・モジュールおよび機能プロセスは、既存の無線ネットワーク制御ノードにおける既存のハードウェアを使用して実施されることが可能である。
【００１５】
以下の説明において、例示的な実施形態は、特に明記しない限り、１つまたは複数のプロセッサによって実行される作用、および動作の記号表現（例えば、信号フロー図の形態の）を参照して説明される。このため、ときとして、コンピュータによって実行されるものとして述べられる、そのような作用および動作は、構造化された形態のデータを表す電気信号の、プロセッサによる操作を含むものと理解される。この操作は、コンピュータのメモリ・システム内のロケーションでデータを変換し、または保持し、このことにより、当業者によってよく知られている仕方でコンピュータの動作が再構成される、またはそれ以外で変更される。
【００１６】
本明細書で説明される「ユーザ」という用語は、「移動局」という用語と同義であると考えられ、互換的に使用されることが可能である。
【００１７】
図１は、例示的な実施形態が実施されることが可能な無線セルラー・システムの一部分を示す。無線セルラー・システム１０は、複数のセルを含むことが可能である。セルのそれぞれは、１つまたは複数のＲＡＴ（無線アクセス技術）によってカバーされることが可能である。例えば、図１に示されるとおり、これらのセルの第１の部分が、第１のＲＡＴタイプＬを有する通信事業者または複数の通信事業者によってカバーされることが可能であり、これらのセルの第２の部分が、第２のＲＡＴタイプＨを有する通信事業者または複数の通信事業者によってカバーされることが可能であり、さらに／またはこれらのセルの第３の部分が、第１のＲＡＴタイプＬを有する通信事業者または複数の通信事業者と、第２のＲＡＴタイプＨを有する通信事業者または複数の通信事業者の両方によってカバーされることが可能である。これらのセルの第３の部分は、セル全部、および／またはセルの部分、例えば、セクタを含むことが可能であり、さらに／または境界区域ＢＡと呼ばれることが可能である。したがって、境界区域ＢＡは、クロス技術境界区域であることが可能である。しかし、例示的な実施形態は、以上に限定されず、これらのセルの第３の部分は、異なるＲＡＴタイプを有する３つ以上の通信事業者によってカバーされることも可能である。
【００１８】
ＲＡＴ（無線アクセス技術）の例は、ＣＤＭＡ２０００  ３Ｇ１Ｘ、ＨＲＰＤ（Ｈｉｇｈ  Ｒａｔｅ  Ｐａｃｋｅｔ  Ｄａｔａ）、ＬＴＥ（Ｌｏｎｇ  Ｔｅｒｍ  Ｅｖｏｌｕｔｉｏｎ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＵＭＢ（ウルトラ・モバイル・ブロードバンド）などであることが可能である。
【００１９】
前述したとおり、例示的な実施形態は、第１のＲＡＴタイプＬを有する複数の通信事業者と、第２のＲＡＴタイプＨを有する複数の通信事業者とを含むことが可能であるものの、説明を簡単にするため、本明細書で説明される例示的な実施形態は、第１のＲＡＴタイプＬを有する第１の通信事業者、第２のＲＡＴタイプＨを有する第２の通信事業者、および第１の通信事業者と第２の通信事業者の両方によってカバーされる少なくとも１つのセクタを含む境界区域ＢＡを含む無線セルラー・システムに関連して説明される。
【００２０】
図１を参照すると、第１の通信事業者は、移動局に関して第１のＲＡＴタイプのサービング通信事業者であることが可能である。基準点Ａ、Ｂ、Ｃ、およびＤを含む移動局の例示的なパスが、図１に示される。移動局が、第１の通信事業者によってカバーされる区域の端部に位置している場合、第１の通信事業者は、現在のセクタが干渉制限されていない境界であることを移動局に示すことが可能である。したがって、第１の通信事業者からブロードキャストされる境界情報、例えば、境界指示に基づき、移動局は、境界区域ＢＡに入ることを認識していることが可能である。
【００２１】
移動局が、境界区域ＢＡに入った場合、移動局は、第２のＲＡＴタイプを有する第２の通信事業者との同期を獲得するようにトリガされることが可能であり、さらに／または移動局は、境界区域ＢＡに入ったことに応答して、例えば、境界指示に応答して事前登録を実行することができる。同期は、移動局をターゲット通信事業者と同期させることができ、さらに／または移動局が、ターゲット通信事業者のターゲット技術無線インタフェースを介してターゲット通信事業者メッセージを監視し、ターゲット通信事業者電力を測定することを許すことができる。事前登録は、現在のサービング技術無線インタフェースを介してターゲット通信事業者においてセッションをネゴシエートすることができる。移動局は、境界区域ＢＡに入った後、現在のセクタにおける第２の通信事業者のパイロット測定、および現在のセクタにおける第１の通信事業者のパイロット測定を行うことができる。移動局が、境界区域ＢＡに入った後、移動局は、現在のセクタにおける第１の通信事業者のパイロット測定に基づいて、第１の通信事業者に対してチェックインすることができる。
【００２２】
図２を参照すると、例示的な実施形態による距離ベースのＲＡＴ間ハンドオフに関する手続きおよびシグナリング・フローが、詳細に説明されている。
【００２３】
移動局は、移動局が境界区域ＢＡに入ったことを示す、第１の通信事業者の現在の基地局からの境界指示を受信することが可能である（Ｓ１０）。図１に関連して前述したとおり、移動局は、第２の通信事業者との同期を獲得するようにトリガされることが可能であり（Ｓ１５）、さらに／または境界区域ＢＡに入ったことに応答して、例えば、第１の通信事業者から受信された境界指示に応答して、事前登録を実行することができる（Ｓ２０）。
【００２４】
例示的な実施形態によれば、第１の通信事業者に関するアクセス網が、移動局が、現在のサービング基地局から位置することが可能な最大距離を指定することができる。例えば、第１の通信事業者に関するアクセス網は、移動局と、第１の通信事業者の現在の基地局との間の最大距離を指定することができる。第１の通信事業者に関するアクセス網は、移動局が、第１の通信事業者に対してチェックインすること、例えば、移動局と、現在のセクタにおける第１の通信事業者との間の逆方向リンク、および／または移動局が、第１の通信事業者の現在の基地局から位置する距離をチェックすることを開始することが可能なＥｃ／ｌ０信号対雑音比を指定することができる。第１の通信事業者に関するアクセス網は、この逆方向リンク、およびこの距離をチェックすることに関する最長時間間隔および最短時間間隔を指定することができる。アクセス網は、移動局が、タイムアウトまでに、この逆方向リンク、およびこの距離をチェックしようと試みることが可能な回数を指定することができる。
【００２５】
移動局が、現在のセクタにおける第１の通信事業者のＥｃ／ｌ０信号対雑音比が、信号対雑音比しきい値以下であると測定した場合、移動局は、共通逆方向制御チャネルＣＲＣＣＨ上、または逆方向トラフィックチャネルＲＴＣＨ上で第１のメッセージを、第１の通信事業者の現在の基地局に送信して、距離チェックを要求することができる（Ｓ２５）。第１の通信事業者の現在の基地局が、第１のメッセージを受信した場合、現在の基地局は、第１のメッセージの着信時間、例えば、第１のメッセージを含むパケットの着信時間を使用して、距離を測定することができる。現在の基地局は、第２のメッセージを移動局に送り返すことができる（Ｓ３０）。第２のメッセージは、現在の基地局によって測定された距離の指示を含むことが可能である。
【００２６】
移動局が、第１のメッセージに応答して第１の通信事業者の現在の基地局から第２のメッセージを受信した場合、移動局は、第２のメッセージによって示される距離測定を記録し、その距離を距離しきい値と比較することができる（Ｓ３５）。移動局は、現在の基地局から受信された第１の距離測定を保存し、第１の距離測定を最長時間間隔に関連付けることができる。現在の距離が、距離しきい値を下回っている場合、移動局は、最長時間間隔が満了した後、別の距離チェックを要求する、例えば、別の第１のメッセージを送信することができる。
【００２７】
移動局が、その時間間隔が満了するまでに、第１のメッセージに応答して第２のメッセージを受信しない場合、移動局は、距離チェックを実行する、例えば、第１の通信事業者に関してアクセス網によって指定された回数、第１のメッセージを送信し、その時間間隔内で応答を待つ。移動局が、距離チェック試行のいずれに応答しても第２のメッセージを受信せず、かつ現在のセクタにおける第２の通信事業者のチャネル条件が、第１のしきい値を超えている場合、移動局は、逆方向リンクが切断されていると宣言し、さらに／または第２の通信事業者への移動局のハンドオフ、例えば、アイドルな移動局のアイドル・ハンドオフが、トリガされることが可能である。例えば、移動局は、第２の通信事業者の現在の基地局にハンドオフ要求を送信することができ（Ｓ４０）、さらに第２の通信事業者の現在の基地局は、第２の通信事業者のＲＮＣ（無線ネットワーク・コントローラ）にハンドオフ要求を転送することができる。
【００２８】
各回の距離チェックの試行に関して、さらに受信される各応答に関して、移動局は、最長時間間隔および最短時間間隔に対する、第１の距離、および距離しきい値と比較された現在の距離に関する線形プロ・レーティングに基づいて、次回の距離チェックまでの時間間隔を決定することができる。したがって、時間間隔は、移動局が、第１の通信事業者のカバレッジの端部に近づくにつれ、より短くされることが可能である。
【００２９】
しかし、移動局が、距離しきい値を超えている距離を示す第２のメッセージを受信し、さらに第２の通信事業者に関するチャネル条件が、第１のしきい値を超えている場合、例えば、現在のセクタにおける第２の通信事業者のパイロット測定が、第１のしきい値を超えている場合、第２の通信事業者への移動局のハンドオフ、例えば、アイドル・ハンドオフが、トリガされることが可能である。例えば、移動局は、アクセス網にハンドオフ要求を送信することによって、ハンドオフを開始することができ（Ｓ４０）、さらにハンドオフが、第２の通信事業者に関するＲＮＣ（無線ネットワーク・コントローラ）に転送されることが可能である（Ｓ４５）。
【００３０】
しかし、例示的な実施形態は、以上に限定されず、移動局が、接続された状態にある、例えば、アイドル状態にない場合、現在のセクタにおける第２の通信事業者の逆方向リンク電力、および移動体からサービング基地局までの距離、例えば、第１の通信事業者の現在の基地局から移動局までの距離が、サービング基地局において測定されることが可能であり、さらに／または逆方向リンク電力、およびこの距離が、アクセス網によって、第１の通信事業者から、異なるアクセス技術を有する第２の通信事業者への移動体の活性モード・ハンドオフをトリガするのに使用されることが可能である。例えば、アクセス網は、測定された逆方向リンク電力、および／または計算された距離に基づいて、ハンドオフを決定することができる。アクセス網は、ハンドオフを開始するよう移動局にハンドオフ要求を送信することができる。したがって、移動局は、ハンドオフ・メッセージに関してアクセス網に対して定期的チェックインを行うだけでよい。移動局が、アクセス網に対してチェックインする、例えば、メッセージを送信するたびに、アクセス網は、移動局に確認応答を送り返し、次回のチェックインに関する時間を指定することができる。
【００３１】
やはり図２を参照すると、第１の通信事業者から第２の通信事業者への移動局のハンドオフが完了した後、セッション・アンカが、第２のＲＡＴタイプに切り換えられることが可能である。例えば、新たなセッション・ネゴシエーションが完了した後、移動局は、第２のＲＡＴタイプを有する第２の通信事業者に関する現在の基地局に構成完了メッセージを送信することができる。第２の通信事業者に関する現在の基地局は、第２のＲＡＴタイプに関する新たなセッション・ホストＲＮＣ（無線ネットワーク・コントローラ）にメッセージを中継することができる。第２のＲＡＴタイプに関する新たなセッション・ホストＲＮＣは、新たなセッションが、第２のＲＡＴタイプに関するＲＮＣにアンカされることを、第１のＲＡＴタイプに関する元のセッション・ホストＲＮＣに通知することができる（Ｓ５０）。第１のＲＡＴタイプに関する元のセッション・ホストＲＮＣは、先行セッション・クリーンアップ・タイマを開始し、新たなセッション・ホストＲＮＣに確認応答を送信することができる（Ｓ５５）。確認応答を受信した後、新たなセッション・ホストＲＮＣは、第２の通信事業者の現在の基地局にセッション・アンカ済みメッセージを送信することができ（Ｓ６０）、さらに現在の基地局は、このセッション・アンカ済みメッセージを移動局に送信することができる（Ｓ６５）。移動局は、セッション・アンカ済みメッセージに応答して、ページング・メッセージに関して第２の通信事業者を監視することを開始することができる（Ｓ７０）。しかし、移動局が、セッション・アンカ切換えが完了したことを示すメッセージ、例えば、セッション・アンカ済みメッセージを受信する前に、移動局は、ページング・メッセージに関して第１の通信事業者を監視することも可能である。
【００３２】
図３は、別の例示的な実施形態による事前準備およびハンドオフをトリガすることを示す信号フロー図である。
【００３３】
図３を参照すると、異なるＲＡＴ（無線アクセス技術）の重なりが、例えば、図１に示されるとおり、少なくとも１セル幅である場合、アイドルな移動局の同期、事前登録、および／またはハンドオフ、例えば、アイドル・ハンドオフが、境界指示、例えば、カラーコード／二次カラーコード、および／または他の任意のタイプの境界指示によってトリガされることが可能である。
【００３４】
境界指示は、境界セクタにおけるすべての技術の通信事業者によってブロードキャストされることが可能である。移動局、例えば、アイドルな移動局が、第１の通信事業者から境界指示を受信した場合、例えば、移動局が、第１の通信事業者から第２の通信事業者の二次カラーコードを受信した場合、移動局は、境界区域ＢＡに入ったことを認識することができる。
【００３５】
移動局は、第１の通信事業者の現在の基地局から境界指示を受信することができる（Ｓ１００）。したがって、境界区域ＢＡに入ることは、第２の通信事業者との同期を獲得し（Ｓ１０５）、さらに／または事前登録を行うように（Ｓ１１０）移動局をトリガすることが可能である。第２の通信事業者との同期が達せられた後、移動局は、第２の通信事業者のオーバヘッド・チャネルを監視することを開始することができる。移動局が、オーバヘッド・チャネル上で、移動局が境界区域ＢＡを出て、第１の通信事業者によってカバーされていない区域、例えば、第２の通信事業者によってだけカバーされる区域に入ることを示すブロードキャスト・オーバヘッド・メッセージを受信した場合、第２の通信事業者への移動局のハンドオフ、例えば、アイドル・ハンドオフが、トリガされることが可能である（Ｓ１１５）。例えば、移動局は、第２の通信事業者の現在の基地局にハンドオフ要求を送信することができ（Ｓ１２０）、さらに第２の通信事業者の現在の基地局は、第２の通信事業者のＲＮＣ（無線ネットワーク・コントローラ）に、このハンドオフ要求を転送することができる（Ｓ１２５）。
【００３６】
第２の通信事業者へのハンドオフが完了した後、図２に関連して前述したとおり、使用中セッション・アンカが、第２の通信事業者に切り換えられることが可能であり、さらに／または移動局が、ページング・メッセージに関して第２の通信事業者を監視すること、例えば、図３のステップ（Ｓ１３０）、（Ｓ１３５）、（Ｓ１４０）、（Ｓ１４５）、および／または（Ｓ１５０）を開始することが可能であり、したがって、以上についての詳細な説明は、簡明のため、省略する。
【００３７】
例えば、図１を再び参照すると、移動局は、基準点１で境界区域ＢＡに入ると、事前準備を行い、基準点Ｂで境界区域ＢＡを出ると、別の通信事業者へのハンドオフを実行し、さらに／または基準点ＣおよびＤにおいて反対方向で境界区域ＢＡに入り、境界区域ＢＡを出ると、同様の動作を実行することができる。
【００３８】
したがって、例示的な実施形態は、境界区域に入ると、ターゲット通信事業者と同期し、さらに／または事前登録を実行するように移動局をトリガすることが可能である。例示的な実施形態によれば、移動局は、ターゲット通信事業者のチャネル条件が、第１のしきい値を超えており、移動局が、或る時間間隔内に、第１の通信事業者に送信された第１のメッセージに応答して第２のメッセージを受信することに失敗し、さらに／または或る数の第１のメッセージが、第１の通信事業者に既に送信されている場合、あるいはターゲット通信事業者のチャネル条件が、第１のしきい値を超えており、移動局が、その時間間隔内に、サービング通信事業者に送信された第１のメッセージに応答して第２のメッセージを受信し、さらに／またはそのメッセージが、移動局からサービング通信事業者の現在の基地局までの距離が距離しきい値を超えていることを示す場合、ハンドオフを実行することが可能である。別の例示的な実施形態によれば、移動局のハンドオフは、移動局が境界区域を出た場合、トリガされることが可能である。
【００３９】
例示的な実施形態が、以上のように説明されて、これらの実施形態は、多くの仕方で変更されることが可能であることが明白であろう。そのような変更は、これらの例示的な実施形態からの逸脱と見なされるべきではなく、すべてのそのような変形は、範囲内に含まれることが意図されている。
【図１】
2011502423.tif 000003
【図２】
2011502423.tif 000004
【図３】
2011502423.tif 000005
【国際調査報告】
2011502423.tif 000006
2011502423.tif 000007
2011502423.tif 000008